(57)【特許請求の範囲】
【請求項１】
開口部に採光窓を備えたドアであって、
前記開口部に設けられる複層ガラスと、
前記複層ガラスの下端部を収容し、当該複層ガラスを支持するセッティングブロックが載置される底部を有するガラス収容部を備えた額縁と、を有し、
前記額縁は、
前記ガラス収容部の室外側の部位をなす金属製の室外額縁と、
前記ガラス収容部の室内側の部位をなし、前記室外額縁とともに前記ガラス収容部を形成している合成樹脂製の室内額縁と、
を備え、
前記室内額縁は、前記ガラス収容部の室内側において前記底部を構成する室内底部と、前記室内底部の室外側にて下方に延出している室外壁部と、を有し、
前記室外額縁は、前記室内底部より低い位置に配置され前記ガラス収容部の室外側において平坦な前記底部を構成する室外底部と、前記室外底部の室内側の端から上方に延出している室内壁部と、を有し、
前記室外壁部と前記室内壁部とは、前記複層ガラスと上下方向において重なる位置にて互いに当接されて接合されていることを特徴とするドア。
【請求項２】
請求項１に記載のドアであって、
前記室内額縁の前記室内底部は、前記室外壁部より室外側に張り出して前記室内壁部の上部を覆っていることを特徴とするドア。
【請求項３】
請求項１または請求項２に記載のドアであって、
前記室内額縁は、前記室外壁部に、当該室内額縁の他の部位より軟質の突起を有しており、
前記室外額縁と前記室内額縁とは、見込み方向に沿って螺合されるビスにより接合されていることを特徴とするドア。
【請求項４】
請求項１乃至請求項３のいずれかに記載のドアであって、
前記複層ガラスの下側に位置する前記室内額縁は、前記室内底部の下に、前記ガラス収容部に沿う方向に貫通する中空部を有し、
前記複層ガラスが備える複数のガラス板間に設けられている中空層と、前記中空部とは、上下方向において重なる位置に配置されていることを特徴とするドア。
【発明の詳細な説明】
【技術分野】
【０００１】
本発明は、ドアに関する。
【背景技術】
【０００２】
ドアとしては、例えば、パネル体の開口部の周縁部に四周に渡って窓枠材が設けられ、窓枠材の内部にガラス体が納められて採光窓となる小窓が設けられたドアが知られている（例えば、特許文献1参照）。このドアの窓枠材を構成する金属材からなる下窓枠は室内側部に溝状の取付部が形成されており、この取付部に対して樹脂材からなる室内額縁がねじ止め固定されている。下窓枠は、ガラス体より室内側まで延出されており、室内額縁はガラス体より室内側にて下窓枠に固定されている。また、ガラス体は、下窓枠と室内額縁とにそれぞれ設けられている保持部により保持されている。
【先行技術文献】
【特許文献】
【０００３】
【特許文献１】特開２００７−２８４９９３号公報
【発明の概要】
【発明が解決しようとする課題】
【０００４】
上記ドアの採光窓の断熱性を高めるためには、窓枠材を樹脂材で形成することが考えられるが、強度が不足するため、金属材と組み合わせる必要がある。このため、強度を確保しつつより高い断熱性を確保するために、樹脂材からなる室内額縁をより室外側に張り出させて金属材からなる下窓枠に固定すると、室内額縁と下窓枠との接合部、すなわち室内額縁と下窓枠との境界部分がガラス体の真下に位置することになり、室外側から下窓枠と室内額縁との間に浸入した水が、窓枠材より外周側、例えば、ドアの室内表面材と室外表面材との間に設けられている断熱材側に浸入する虞がある。
【０００５】
本発明は、かかる課題に鑑みてなされたものであり、その目的とするところは、より高い断熱性とより高い強度とを備えつつも止水性に優れたドアを提供することにある。
【課題を解決するための手段】
【０００６】
かかる目的を達成するために本発明のドアは、開口部に採光窓を備えたドアであって、前記開口部に設けられる複層ガラスと、前記複層ガラスの下端部を収容し、当該複層ガラスを支持するセッティングブロックが載置される底部を有するガラス収容部を備えた額縁と、を有し、前記額縁は、前記ガラス収容部の室外側の部位をなす金属製の室外額縁と、前記ガラス収容部の室内側の部位をなし、前記室外額縁とともに前記ガラス収容部を形成している合成樹脂製の室内額縁と、を備え、前記室内額縁は、前記ガラス収容部の室内側において前記底部を構成する室内底部と、前記室内底部の室外側にて下方に延出している室外壁部と、を有し、前記室外額縁は、前記室内底部より低い位置に配置され前記ガラス収容部の室外側において平坦な前記底部を構成する室外底部と、前記室外底部の室内側の端から上方に延出している室内壁部と、を有し、前記室外壁部と前記室内壁部とは、前記複層ガラスと上下方向において重なる位置にて互いに当接されて接合されていることを特徴とする。
【０００７】
このようなドアによれば、金属製の室内壁部と合成樹脂製の室外壁部とは、複層ガラスと上下方向において重なる位置にて互いに当接されて接合されているので、合成樹脂製の室内額縁が複層ガラスと上下方向において重なる位置まで張り出す構成となり、見込み方向において室内額縁をより厚くすることが可能である。このため、より厚い室内額縁と金属製の室外額縁とで額縁を構成できるので、金属製の室外額縁により強度を確保しつつも合成樹脂製の室内額縁により高い断熱性を高めることが可能である。また、室外額縁が有している、室内額縁の室内底部より低い室外底部の室内側に上方に延出している室内壁部が、室内底部の室外側にて下方に延出している室外壁部に当接されて接合されているので、室外側から浸入した水を、室外底部側に留めることが可能であり、室内額縁との境界部に水が浸入することを防止することが可能である。このため、より高い断熱性とより高い強度とを備えつつも止水性に優れたドアを提供することが可能である。
【０００８】
かかるドアであって、前記室内額縁の前記室内底部は、前記室外壁部より室外側に張り出して前記室内壁部の上部を覆っていることが望ましい。
このようなドアによれば、室外底部より高い室内底部が室外壁部より室外側に張り出して室内壁部の上部を覆っているので、室内側から浸入した水が室内額縁と室外額縁との境界部に浸入することを防止することが可能である。
【０００９】
かかるドアであって、前記室内額縁は、前記室外壁部に、当該室内額縁の他の部位より軟質の突起を有しており、前記室外額縁と前記室内額縁とは、見込み方向に沿って螺合されるビスにより接合されていることが望ましい。
【００１０】
このようなドアによれば、室外額縁と室内額縁とが、見込み方向に沿って螺合されるビスにより接合されると、室外額縁と室内額縁とは互いに見込み方向に引き寄せ合って接合される。このとき、室外壁部に、室内額縁の他の部位より軟質の突起が設けられているので、ビスが螺合されることにより突起が圧縮されて室外壁部と室内壁部とが密着され、より高い止水性を備えることが可能である。
【００１１】
かかるドアであって、前記複層ガラスの下側に位置する前記室内額縁は、前記室内底部の下に、前記ガラス収容部に沿う方向に貫通する中空部を有し、前記複層ガラスが備える複数のガラス板間に設けられている中空層と、前記中空部とは、上下方向において重なる位置に配置されていることが望ましい。
【００１２】
このようなドアによれば、採光部において、複層ガラスが備えるガラス板間の中空層と合成樹脂製の室内額縁が備える中空部とにより、断熱性が高い領域が続く断熱ラインが形成されるので、より高い断熱性を備えることが可能である。
【発明の効果】
【００１３】
本発明によれば、より高い断熱性とより高い強度とを備えつつも止水性に優れたドアを提供することが可能である。
【図面の簡単な説明】
【００１４】
【図１】本実施形態に係る採光窓を備えたドアの外観図である。
【図２】本実施形態に係る採光窓を備えたドアの縦断面図である。
【図３】図２におけるＡ部の拡大図である。
【図４】採光窓の窓下枠の構成を示す分解図である。
【発明を実施するための形態】
【００１５】
以下、本発明の一実施形態に係る採光窓を備えたドアについて図面を参照して説明する。
本実施形態のドア１は、例えば図１に示すような縦長の採光窓１ａを備えた玄関用のドア１である。
【００１６】
以下の説明においては、建物に取り付けられている状態のドア１を室外側から見たときに、上下となる方向を上下方向、左右となる方向を左右方向、奥行き方向を見込み方向として示す。ドア１の各部位であっても、また、ドア１を構成する各部材については単体の状態であっても、建物に取り付けられた状態にて上下方向、左右方向、見込み方向となる方向にて方向を特定して説明する。
【００１７】
ドア１は、図２に示すように、矩形状に枠組みされた枠部材２と、枠部材２を表裏面から挟み枠部材２にて囲まれる領域を覆い鋼板でなる一対の表面材３と、枠部材２にて囲まれた領域内にて表面材３にて覆われた空間内に設けられる断熱材４と、表面材３及び断熱材４の開口部に設けられる複層ガラス５と、複層ガラス５の周端部を収容するガラス収容部６ａを有して開口部に当該複層ガラス５を保持する額縁６と、を有している。本実施形態のドア１が備える採光窓１ａは、複層ガラス５と額縁６とにより構成されている。
【００１８】
本実施形態の複層ガラス５は、３枚のガラス板５ａが、それらの外周部に全周に渡って設けられたスペーサー５ｂにより厚み方向に互いに間隔を空けて配置されて各ガラス板５ａの間に中空層５ｃがそれぞれ設けられている。
【００１９】
額縁６は  複層ガラス５の上側に配置される上額縁７と、複層ガラス５の左右にそれぞれ配置される縦額縁(不図示)と、複層ガラスの下側に配置される下額縁１０と、を有している。
【００２０】
下額縁１０は、図３、図４に示すように、ガラス収容部６ａの室外側の部位をなす金属製の室外額縁１１と、ガラス収容部６ａの室内側の部位をなし、室外額縁１１とともにガラス収容部６ａを形成している合成樹脂製の室内額縁１２と、室内額縁１２を室内側から覆う金属製の額縁カバー１３と、室外額縁１１に設けられて複層ガラス５に当接されるシール材９と、を有している。ここで、額縁カバー１３は必ずしも設けられていなくとも構わない。
【００２１】
室外額縁１１は、アルミニウム製の押出成形部材であり、室外側の表面材３の開口部より下側の部位と僅かに間隔を空けて見込み方向医対向するとともに開口部側に突出している額縁外表面部１１ａと、額縁外表面部１１ａから室内側にほぼ水平に延出されて開口部の下端上に配置される開口下延出部１１ｂと、開口下延出部１１ｂより上方にて室内側にほぼ水平に延出されている外側水平延出部１１ｃと、室内側が開放されて室外側に窪む溝部１１ｄを、外側水平延出部１１ｃの室内側にて当該外側水平延出部１１ｃとともに形成する溝形成部１１ｅと、外側水平延出部１１ｃの室内側の縁部から上方に延出された室内壁部１１ｆと、溝形成部１１ｅの室内側の縁部から下方に延出された垂壁部１１ｇと、を有している。
【００２２】
額縁外表面部１１ａは、外側水平延出部１１ｃよりも上方に延出されており、その上端部に、複層ガラス５に当接されるシール材９が室内側に向くように嵌合される嵌合孔１１ｈが設けられている。また、額縁外表面部１１ａは、ドア１の下端まで設けられており、室外側の表面材３と対向する部位には、額縁外表面部１１ａの剛性を高めるとともに室外側から押圧されたときに表面材３との間隔を保つためのリブ１１ｉが複数設けられている。
【００２３】
室内額縁１２は、合成樹脂製の押出成形部材であり、開口部の下端上に配置されて室外額縁１１の室内壁部１１ｆ及び垂壁部１１ｇと対向する室外壁部１２ａを有し、ガラス収容部が延びている左右方向に沿って貫通し見込み方向に並ぶ２つの中空部１２ｂを備えた下額縁外周部１２ｃと、下額縁外周部１２ｃの室内側から上方に延出されて額縁外表面部１１ａの上部側と見込み方向に対向する上方延出部１２ｄと、下額縁外周部１２ｃの下端から室内側に延出されて室内側の端部が下方に垂設される室内垂設部１２ｅとを有している。
【００２４】
上方延出部１２ｄの内部は、見込み方向に沿うリブにより仕切られて左右方向に貫通する複数の中空部１２ｆが形成されており、上端部の室外側には室内側から複層ガラス５に当接されて当該複層ガラス５を保持する保持片１２ｇが設けられている。また、上方延出部１２ｄの上端部の室内側及び室内垂設部１２ｅには、額縁カバー１３が係止される係止部１２ｈがそれぞれ設けられている。
【００２５】
下額縁外周部１２の水平な上面を形成している水平面部１２ｉは、室外壁部１２ａより室外側に突出された額縁突部１２ｊを有しており、室外壁部１２ａには、室外側に突出し、対向する室内壁部１１ｆ及び垂壁部１１ｇに、当接される突起１２ｋを有している。突起１２ｋは、室内額縁１２の他の部位より軟質に形成されている。
【００２６】
室内額縁１２は、室外側から配置されている室外額縁１１の室内壁部１１ｆ及び垂壁部１１ｇに室外壁部１２ａが複層ガラス５と上下方向に重なる位置にて当接され、室内額縁１２の上方延出部１２ｄ及び下額縁外周部１２ｃを貫通するビス１４が、室外額縁１１の溝部１１ｄに螺合されることにより、室外額縁１１と接合されて下額縁１０を形成する。このとき、額縁外表面部１１ａの上端部に設けられたシール材９と上方延出部１２ｄの上端部に設けられた保持片１２ｇとにより複層ガラス５が保持される。また、見込み方向に沿って螺合されるビス１４を締め込むことにより室外額縁１１が室内額縁１２側に引き寄せられて室外壁部１２ａの突起１２ｋが圧縮される。このとき、額縁突部１２ｊは、室内壁部１１ｆの上部を覆い室内壁部１１ｆより室外側に突出している。
【００２７】
額縁カバー１３は、フック部１３ａが、室外額縁１１と接合された室内額縁１２の係止部１２ｈに係止されて、ビス１４及び上方延出部１２ｄの上部から室内垂設部１２ｅの下部までを覆っている。
【００２８】
複層ガラス５は、外側水平延出部１１ｃと水平面部１２ｉとの上に載置されるセッティングブロック１５上に載置された状態で、シール材９と保持片１２ｇとにより保持されている。セッティングブロック１５は、水平面部１２ｉ上に載置される室内載置部１５ａと、外側水平延出部１１ｃ上に載置される室外載置部１５ｂとを有しており、室内載置部１５ａの厚みは室外載置部１５ｂの厚みより薄く形成されており、外側水平延出部１１ｃ及び水平面部１２ｉ上に配置されたときにセッティングブロック１５の上面がほぼ水平になるように構成されている。
【００２９】
また、セッティングブロック１５は、室外載置部１５ｂが室内壁部１１ｆに当接されて位置決めされるように構成されており、セッティングブロック１５が位置決めされた状態では、ガラス収容部６ａにおいてセッティングブロック１５の室外側に空隙６ｂが設けられている。
【００３０】
セッティングブロック１５上に複層ガラス５が載置された状態では、少なくとも複層ガラス５の中空層５ｃと室内額縁１２の下額縁外周部１２ｃが備える中空部１２ｂとが上下方向において重なる位置に配置されている。
【００３１】
ここで、複層ガラス５の下端部が収容され、外側水平延出部１１ｃより上方の額縁外表面部１１ａ、外側水平延出部１１ｃ、室内壁部１１ｆ、水平面部１２ｉ及び上方延出部１２ｄにより形成される部位がガラス収容部６ａに相当し、ガラス収容部６ａの底部６ｃを形成する外側水平延出部１１ｃは室外底部に相当し、水平面部１２ｉは室内底部に相当する。
【００３２】
本実施形態のドア１によれば、金属製の室内壁部１１ｆと合成樹脂製の室外壁部１２ａとは、複層ガラス５と上下方向に重なる位置にて互いに当接されて接合されているので、合成樹脂製の室内額縁１２が複層ガラス５の下まで張り出す構成となり、見込み方向において室内額縁１２をより厚くできる。このため、金属製の室外額縁１１により強度を確保しつつも合成樹脂製の室内額縁１２により高い断熱性を高めることが可能である。
【００３３】
また、室外額縁１１が有し、室内額縁１２の水平面部１２ｉより低い外側水平延出部１１ｃの室内側に上方に延出されている室内壁部１１ｆが、水平面部１２ｉの室外側にて下方に延出している室外壁部１２ａに当接されて接合されているので、室外側から浸入した水を、外側水平延出部１１ｃ側に留めることが可能であり、室内額縁１２との境界部に水が浸入することを防止することが可能である。このため、断熱性を備え強度を確保しつつも止水性に優れた採光窓１ａを備えたドア１を提供することが可能である。
【００３４】
また、外側水平延出部１１ｃより高い水平面部１２ｉが室外壁部１２ａより室外側に張り出している額縁突部１２ｊが室内壁部１１ｆの上部を覆っているので、室内側から浸入した水が室内額縁１２と室外額縁１１との境界部に浸入することを防止することが可能である。
【００３５】
また、室外額縁１１と室内額縁１２とが、見込み方向に沿って進入しつつ螺合されるビス１４により接合されると、室外額縁１１と室内額縁１２とは互いに引き寄せ合って接合される。このとき、室外壁部１２に、他の部位より軟質の突起１２ｋが設けられているので、ビス１４が螺合されることにより突起１２ｋが圧縮されて室外壁部１２ａと室内壁部１１ｆとが密着され、より高い止水性を備えることが可能である。
【００３６】
また、室内額縁１２の中空部１２ｂと複層ガラス５が備える中空層５ｃとが上下方向において重なる位置に配置されているので、採光部１ａにおいて、複層ガラス５が備えるガラス板５ａ間の中空層５ｃと合成樹脂製の室内額縁１２が備える中空部１２ｂとにより、断熱性が高い領域が続く断熱ラインが形成されるので、より高い断熱性を備えることが可能である。
【００３７】
また、室外額縁１１の外側水平延出部１１ｃが室内額縁１２の水平面部１２ｉより低い、ガラス収容部６ａであっても、室内載置部１５ａが室外載置部１５ｂより厚みが薄いセッティングブロック１５により複層ガラス５を安定した状態で保持することが可能である。
【００３８】
また、室外載置部１５ｂが室内壁部１１ｆに当接されることによりセッティングブロック１５が確実に位置決めされて、ガラス収容部６ａ内の室外側に空隙６ｂを確保できるので、外側水平延出部１１ｃ側に浸入した水が、セッティングブロック１５により妨げられることなくガラス収容部６ａ内を移動可能な経路を確保することが可能である。
【００３９】
上記実施形態においては、採光窓を備えた玄関ドアを例に挙げて説明したが、これに限らず、採光窓は、例えば、引戸や開き戸、ＦＩＸ窓などに設けられていても構わない。
【００４０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４１】
１  ドア、１ａ  採光窓、５  複層ガラス、５ａ  ガラス板、５ｃ  中空層、
６  額縁、６ａ  ガラス収容部、６ｂ  空隙、６ｃ  底部、９  シール材、
１０  額縁、１１  室外額縁、１１ｆ  室内壁部、１２  室内額縁、１２ａ  室外壁部、
１２ｂ  中空部、１２ｉ  水平面部、１２ｊ  額縁突部、１２ｋ  突起、１４  ビス、
１５  セッティングブロック、１５ａ  室内載置部、１５ｂ  室外載置部、
【図１】
0006676434.tif 000002
【図２】
0006676434.tif 000003
【図３】
0006676434.tif 000004
【図４】
0006676434.tif 000005